【事件の表示】
　特許第３０３５１３０号「液晶表示装置及び液晶表示装置用複合板」の請求項１ないし１０に係る特許に対する特許異議の申立てについて、次のとおり決定する。
【結　論】
　訂正を認める。
　特許第３０３５１３０号の請求項１ないし４に係る特許を取り消す。
　同請求項５ないし８に係る特許を維持する。
【理　由】
１．手続の経緯
　特許第３０３５１３０号の発明についての出願は、平成５年９月１日に特許出願（優先権主張平成４年９月２日）され、平成１２年２月１８日にその特許の設定の登録がなされ、その後、芝　町子により特許異議の申立がなされ、取消理由通知がなされ、その指定期間内の平成１３年２月２１日付けで訂正請求がなされたものである。
　
２．訂正の適否についての判断
２−１．訂正の内容
　ａ．特許請求の範囲の請求項１乃至１０において、請求項１，６を削除し、以下項数を繰り上げるとともに、もとの請求項２，３，７，８中の「接着剤で貼付された前記液晶パネルを保護する透明板と、」を、「接着剤で密着して取り付けられた前記液晶パネルを保護する透明板と、」に訂正する。
　すなわち、特許請求の範囲の
「【特許請求の範囲】
【請求項１】　少なくともカラーフィルターガラス及び該カラーフィルターガラス前面に貼付された偏光板からなる液晶パネルと、該液晶パネルの前面に貼付され、該液晶パネルを保護する透明板と、該透明板の前面に貼付され、表面に凹凸部を備えた反親水性の汚れ防止膜とを備えたことを特徴とする液晶表示装置。
【請求項２】　少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で貼付された前記液晶パネルを保護する透明板と、該透明板の前面に貼付された反射防止膜とを備えたことを特徴とする液晶表示装置。
【請求項３】　少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で貼付された前記液晶パネルを保護する透明板と、それぞれ異なる層厚のコーティング層でマルチコーティング形成され、前記透明板の前面に貼付された反射防止膜とを備えたことを特徴とする液晶表示装置。
【請求項４】　前記反射防止膜の前面に貼付された反親水性の汚れ防止膜を備えたことを特徴とする請求項２または３に記載の液晶表示装置。
【請求項５】　前記汚れ防止膜の表面に凹凸部を備えたことを特徴とする請求項４に記載の液晶表示装置。
【請求項６】　偏光板と、該偏光板の前面に貼付され、液晶パネルを保護する透明板と、該透明板の前面に貼付された反射防止膜と、該反射防止膜の前面に貼付され、表面に凹凸部を備えた反親水性の汚れ防止膜とを備えたことを特徴とする液晶表示装置用複合板。
【請求項７】　偏光板と、該偏光板と同一の屈折率であって、該偏光板の前面に該偏光板と同一の屈折率の接着剤で貼付された液晶パネルを保護する透明板と、該透明板の前面に貼付された反射防止膜とを備えたことを特徴とする液晶表示装置用複合板。
【請求項８】　偏光板と、該偏光板と同一の屈折率であって、該偏光板の前面に該偏光板と同一の屈折率の接着剤で貼付された液晶パネルを保護する透明板と、それぞれ異なる層厚のコーティング層でマルチコーティング形成され、前記透明板の前面に貼付された反射防止膜とを備えたことを特徴とする液晶表示装置用複合板。
【請求項９】　前記反射防止膜の前面に貼付された反親水性の汚れ防止膜を備えたことを特徴とする請求項７または請求項８に記載の液晶表示装置用複合板。
【請求項１０】　前記汚れ防止膜の表面に凹凸部を備えたことを特徴とする請求項９に記載の液晶表示装置用複合板。」
の記載を、
「【請求項１】　少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で密着して取り付けられた前記液晶パネルを保護する透明板と、該透明板の前面に貼付された反射防止膜とを備えたことを特徴とする液晶表示装置。
【請求項２】　少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で密着して取り付けられた前記液晶パネルを保護する透明板と、それぞれ異なる層厚のコーティング層でマルチコーティング形成され、前記透明板の前面に貼付された反射防止膜とを備えたことを特徴とする液晶表示装置。
【請求項３】　前記反射防止膜の前面に貼付された反親水性の汚れ防止膜を備えたことを特徴とする請求項１または２に記載の液晶表示装置。
【請求項４】　前記汚れ防止膜の表面に凹凸部を備えたことを特徴とする請求項３に記載の液晶表示装置。
【請求項５】　偏光板と、該偏光板と同一の屈折率であって、該偏光板の前面に該偏光板と同一の屈折率の接着剤で密着して取り付けられた液晶パネルを保護する透明板と、該透明板の前面に貼付された反射防止膜とを備えたことを特徴とする液晶表示装置用複合板。
【請求項６】　偏光板と、該偏光板と同一の屈折率であって、該偏光板の前面に該偏光板と同一の屈折率の接着剤で密着して取り付けられた液晶パネルを保護する透明板と、それぞれ異なる層厚のコーティング層でマルチコーティング形成され、前記透明板の前面に貼付された反射防止膜とを備えたことを特徴とする液晶表示装置用複合板。
【請求項７】　前記反射防止膜の前面に貼付された反親水性の汚れ防止膜を備えたことを特徴とする請求項５または請求項６に記載の液晶表示装置用複合板。
【請求項８】　前記汚れ防止膜の表面に凹凸部を備えたことを特徴とする請求項７に記載の液晶表示装置用複合板。」
と訂正する。
　ｂ．特許請求の範囲の訂正に伴い、それとの整合を図るために、発明の詳細な説明の記載を訂正請求書第３頁２６行〜第９頁９行記載のとおりに訂正する。
　　
２−２．訂正の目的の適否、新規事項の有無及び拡張・変更の存否
　上記訂正事項ａは、請求項１，６を削除し、以下項数を繰り上げるとともに、もとの請求項２，３，７，８中の「接着剤で貼付された前記液晶パネルを保護する透明板と、」を、特許明細書の段落番号【００１８】の「液晶パネル４の偏光板２と前面透明板６とは、屈折率が該偏光板２及び前面透明板６と同一の材料からなる粘着剤１０にて密着して取付てなるものであり」との記載に基づいて「接着剤で密着して取り付けられた前記液晶パネルを保護する透明板と、」に訂正するものであるから、特許請求の範囲の減縮に該当するものであり、新規事項の追加に該当せず、実質的に特許請求の範囲を拡張又は変更するものではない。
　また、訂正事項ｂは、訂正事項ａの特許請求の範囲の訂正に伴い、それとの整合を図るものであり、明りょうでない記載の釈明に該当する。そして、これらの訂正は、いずれも、願書に添付した明細書及び図面に記載された事項の範囲内のものであり、新規事項の追加に該当せず、実質的に特許請求の範囲を拡張又は変更するものではない。
　
２−３．むすび
　　したがって、上記訂正は、特許法第１２０条の４第２項及びに第３項において準用する平成６年法律第１１６号による改正前の特許法第１２６条第１項ただし書き及び第２項の規定に適合するので、当該訂正を認める。
　
３．特許異議申立ての理由の概要
　特許異議申立人は、証拠として甲第１号証〜甲第７号証を提出し、本件請求項１〜１０に係る発明は、甲第１号証〜甲第７号証記載の発明に基づいて当業者が容易に発明をすることができたものであり、特許法第２９条第２項の規定に違反してなされたものであるから、取り消すべき旨主張している。
　
４．本件発明
　本件の請求項１〜８に係る発明は、訂正明細書の特許請求の範囲請求項１〜８に記載された事項により特定されるとおりのものである。（上記２．２−１．訂正事項ａ参照。）
　
５．刊行物記載の発明
　１）当審が通知した取消理由に引用した、本件出願前公知である特開平３−２０４６１６号公報（異議申立人が提出した甲第４号証、以下、「引用例１」という。）には、
「１．少なくとも液晶表示素子（１）と、該液晶表示素子（１）の前面に配置された保護板（１０）とを備えてなる液晶ディスプレイにおいて、上記液晶表示素子（１）と上記保護板（１０）との間に透明物質（９）が充填された構成を有することを特徴とする液晶ディスプレイ。
２．上記液晶表示素子（１）の屈折率と、上記透明物質（９）の屈折率と、上記保護板（１０）の屈折率とが略等しい請求項１に記載の液晶ディスプレイ。」（特許請求の範囲）、
「空気（屈折率ｎ１＝１）から硝子（ｎ２＝１．５）に光が入射した場合、第１式にしたがって計算すると、硝子の表面での反射率Ｒは４％である。アクリルや偏光板の屈折率はそれぞれ約１．５であるから、」（公報第２頁右上欄第２０行〜左下欄第４行）、
「屈折率が約１．５の透明物質９で充填された空隙１５は・・・表面反射率Ｒ＝０となり、保護板１０と透明物質９の境界面における表面反射光の発生を抑えるように作用する。また同様に、透明物質９と検光子７の境界面における表面反射光の発生も抑えるように働く。」（公報第４頁右下欄第９行〜第１４行）、
「液晶表示素子１は、第１の硝子板６の外側表面に検光子７を固着し、第２の硝子板４の外側表面に偏光子３を固着し、第１の硝子板６と第２の硝子板４とで、金属性薄膜の格子、カラーフィルター、透明電極、第１の配向制御膜、液晶、第２の配向制御膜及び画素電極からなる液晶部材５を挟みこみ、封止材８で封止していた。・・・保護板１０は透明板であり、アクリルまたは硝子で構成される。保護板１０の表面には表面反射防止膜１３が形成されている。表面反射防止膜１３は保護板１０の中央部分にあって液晶表示素子１の表示部分をカバーしている。液晶表示素子１と保護板１０との間は透明物質９が充填されており、透明物質９の周囲には枠１１が形成されている。枠１１は、液晶表示素子１と保護板１０との間にあって、液晶表示素子１と保護板１０の距離を決定する。・・・枠１１はシールドケース２に固着されている。」（公報第５頁右上欄第２行〜左下欄第３行）、
「シールドケース２に枠１１と保護板１０とを位置決めまたは固定する。」（公報第６頁右上欄第１１行〜第１２行）、
「（１）液晶ディスプレイと保護板との間に、液晶ディスプレイ及び保護板の屈折率と略等しい透明物質を充填したので、保護板の裏面及び液晶ディスプレイの表面における表面反射を抑制または防止できる効果がある。
（２）透明物質として不飽和ポリエステル樹脂組成物を用いたので・・・液晶デ ィスプレイ及び保護板との接着性があるため剥離を生ぜず、さらに弾性を有するため外部圧力をやわらげ、外部圧力を直接に液晶部に及ぼさない効果がある。
（３）枠を設けて透明物質を充填したので、透明物質の厚みを容易に決定できる効果がある。
（４）枠の支えをシールドケースで支えることができ、外部圧力を直接に液晶部に及ぼさない効果がある。」（公報第７頁左上欄第５行〜右上欄第１行）と記載されている。
　よって、引用例１には、
「第１の硝子板の外側表面に検光子を固着し、第２の硝子板の外側表面に偏光子を固着し、第１の硝子板と第２の硝子板とで、金属性薄膜の格子、カラーフィルター、透明電極、第１の配向制御膜、液晶、第２の配向制御膜及び画素電極からなる液晶部材を挟みこみ、封止材で封止した液晶表示素子と、該液晶表示素子の前面に配置された透明保護板と、該透明保護板の表面に形成された表面反射防止膜を備えてなる液晶ディスプレイにおいて、上記液晶表示素子のシールドケースと上記透明保護板とを枠を介して固定し、上記液晶表示素子と上記透明保護板との間に透明物質が充填され、上記透明保護板または検光子と接着されており、上記液晶表示素子の検光子の屈折率と、上記透明物質の屈折率と、上記透明保護板の屈折率とが略等しい液晶ディスプレイ」の発明（以下、「引用発明」という。）が記載されている。
　
　２）同じく、特開昭６４‐１９３０１号公報（異議申立人が提出した甲第２号証、以下、「引用例２」という。）には、「透明プラスチック基板と有機表面硬化透明膜の少なくとも２層からなる透明板であって、透明プラスチック基板の少なくとも片面が平滑面をなし、且つその平滑面に有機表面硬化透明膜が塗設されており、そして該硬化透明膜が、表面凹凸ピッチ３０〜３００μ、十点・平均粗さ０．３〜３μ、平均山間隔／十点・平均粗さ２０〜２００、平均膜厚３μ〜３０μの表面に山谷が繰返し形成された連続曲面であることを特徴とする耐擦傷性と防眩性に秀れた反射防止用表面板。」（特許請求の範囲第１項）、
「表面が平滑な透明板で出来ている液晶表示板やブラウン管等の映像を見る場合、窓或いは蛍光灯の光が鏡面反射して映像と重なり、見難くなるとともに不快感、眼の疲れの原因になることが知られている。」（公報第２頁左上欄第８行〜 第１２行）、
「この方法にも基板がプラスチックの場合旧来から一般的であった金型を用いて凹凸表面を設ける方法には金型製作上、近年の高精密な表示機材に対応し得ない面がでてきており、汚れが付きやすいという問題点があった。」（公報第２頁右上第１６行〜左下欄第１行）、
「手の汚れも平滑面に接触する場合と異なり、接触面積が小さくたとえ汚れが表面に付着しても、点状である事から、極めて汚れが目立ちにくいという美的、衛生的な利点も有している。同時に、汚れも簡単に取りやすいという特徴も有している。」（公報第９頁左上欄第５行〜第１０行）と記載されており、また、有機表面硬化透明膜の材料として、メチルトリアルコキシシラン、メチルトリメトキシシラン、両末端水酸基性ジメチルポリシロキサン、アルキルトリアルコキシシラン加水分解物等からなるポリオルガノシロキサン系リジッドコート膜が例示されている。
　また、「表面板の表面には、反射防止の為に微細な凹凸層が設けられており、表面板の裏面は光学表示機の画面に接着或いは接触或いは若干の空間をとって設置される。」（４頁右上欄４〜７行）と記載されている。
　
　３）異議申立人が提出した甲第１号証刊行物；特開昭６４−１７００２号公報（以下、「引用例３」という。）には、ブラウン管やディスプレイの微細凹凸膜を形成した反射防止膜に関し、
「ターゲット物質の微細凹凸膜を基板４上に蒸着する。・・・ターゲット物質に、ポリメチルメタクリレート（ＰＭＭＡ）・・・を用い、」（２頁左下欄５〜１１行）、
「反射面に付着した指紋等はガーゼで拭えば容易に除去することが出来た。」（２頁右下欄３〜４行）と記載されている。
　
　４）同じく、甲第３号証；特開昭６３−１１３４０２号公報（以下「引用例４」という。）には、液晶表示装置等の反射防止板に関し、「該反射防止板を構成する透明基材の少なくとも一方の外表面に、第１層として有機ケイ素化合物を含有する透明性表面硬化剤を平滑に塗布し、ついで第２層としてさらに有機ケイ素化合物を含有した透明性表面硬化剤をスプレー塗装により塗布・硬化し、該塗布表面が微細な凹凸を有し・・・て成ることを特徴とする発光表示装置用反射防止板。」（特許請求の範囲（１）参照。）と記載されている。
　
　５）同じく、甲第５号証；特開平３−２５６００４号公報（以下、「引用例５」という。）には、ディスプレーの前面板等に用いられる反射防止膜に関し、
「有機高分子基板上に多層の反射防止層を形成し、・・・最外層の少なくとも大気に接する側を珪素アルコキシドと下記一般式（１）で表されるシラン化合物とを含む珪素アルコキシド混合物に水と酸とを添加したものを塗布、加水分解、共縮合せしめて水に対する接触角が６０度以上であるものとすることを特徴とする反射防止層の形成方法。」（１頁左下欄５〜１７行）、
「本発明の方法によればクラックの発生も少なく、反射防止膜の基板への接着性にも優れ、耐汚染性にも優れ、かつ耐塩水性、耐摩耗性にも優れる反射防止膜を形成させることができるという優れた効果を有する。」（１０頁左下欄５〜９行）と記載されている。
　
　６）同じく、甲第６号証；特開昭６３−２２８１０１号公報（以下、「引用例６」という。）には、防汚性を有する反射防止膜として、それぞれ異なる層厚のコーティング層でマルチコーティング形成されたもの（２頁左下欄１２行〜右下欄５行参照。）及び反射防止膜の最表面層となる低屈折率膜上に含フッ素アルキルシランの高分子膜を形成すること（特許請求の範囲（１）（３）及び第１表等参照。）が記載されている。
　
　７）同じく、甲第７号証；実願昭５５−１７２１４７号（実開昭５７−９６４１５号）のマイクロフィルム（以下、「引用例７」という。）には、
「本考案の別の目的は、かかる反射防止コートつきプラスチックフィルムを貼付することによつて、液晶表示素子自体を機械的に保護することである。」（３頁６〜９行）、
「第１図は、本考案の液晶表示素子の実施例の断面図であり、電極（１）及び偏光膜（２）を有する表側基板（３）と、電極（４）及び偏光膜（５）を有する裏側基板（６）とを封着剤（７）で封着し、液晶物質（８）を封入した素子の表面に接着剤層（９）で無機物層（１０）を被着したプラスチックフィルム（１１）を設けたところを示している。」（４頁１０〜１７行）と記載されている。
　
６．当審の判断
Ａ．本件の請求項１に係る発明について
　本件の請求項１に係る発明（以下、「第１発明」という。）と引用発明とを対比すると、引用発明の「検光子及び偏光子」、「硝子板」、「液晶表示素子」、「透明保護板」、「表面反射防止膜」及び「液晶ディスプレイ」は、第１発明の「偏光板」、「ガラス」、「液晶パネル」、「透明板」、「反射防止膜」及び「液晶表示装置」に相当するので、両者は、
「少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着力を有する材料で密着して配置した前記液晶パネルを保護する透明板と、該透明板の前面に貼付された反射防止膜とを備えたことを特徴とする液晶表示装置。」である点で一致しており、
　第１発明では、液晶パネルの前面に透明板が接着剤で密着して取り付けられているのに対し、引用発明では、液晶表示素子のシールドケースと透明保護板とが枠を介して固定され、上記液晶表示素子と上記透明保護板との間に透明物質が充填され、前記透明保護板または検光子と接着されている点、
で相違している。
　
　上記相違点について検討すると、液晶パネルの前面に保護用の透明板を接着剤で密着して取り付けることは、従来周知の事項（例えば、上記引用例２及び引用例７参照）である。また、引用例１の透明物質は、液晶ディスプレイ及び保護板との接着性があるため剥離を生じないものであり、しかも、固定手段としての枠は、透明物質の厚みを容易に決定でき、枠の支えをシールドケースで支えることができ、外部圧力を直接に液晶部に及ぼさない効果を有するものである。そうしてみると、引用例１の上記枠に関する効果を期待しない場合には、引用発明の透明物質に代えて従来周知の接着剤を使用し、固定手段としての枠を介在しないようにすることは、当業者が容易に想到し得たものである。
　よって、第１発明は、引用発明及び周知技術に基づいて、当業者が容易に発明をすることができたものである。
　
Ｂ．本件の請求項２に係る発明について　
　本件の請求項２に係る発明（以下、「第２発明」という。）は、第１発明に「それぞれ異なる層厚のコーティング層でマルチコーティング形成され」た構成が付加されたものである。
  しかるに、反射防止膜に、それぞれ異なる層厚のコーティング層でマルチコーティングを形成することは、上記引用例５及び引用例６に記載されているように周知技術であり、これをディスプレーの前面板等に用いることが引用例５に記載されている。したがって、これを液晶表示装置の反射防止膜に適用することに格別困難性はない。
　よって、第２発明は、第１発明と同様に、引用発明及び周知技術に基づいて、当業者が容易に発明をすることができたものである。
　
Ｃ．本件の請求項３及び請求項４に係る発明について
　本件の請求項３に及び請求項４係る発明（以下、「第３発明」、「第４発明」という。）は、第１発明又は第２発明を「反射防止膜の前面に貼付された反親水性の汚れ防止膜を備えた」と限定し、又、第３発明を「前記汚れ防止膜の表面に凹凸部を備えた」と限定したものである。
　しかるに、引用例２には、透明プラスチック基板とメチルトリアルコキシシランやジメチルポリシロキサン等からなるポリオルガノシロキサン系リジッドコート膜の２層からなり、その表面が凹凸に形成された連続曲面である液晶表示板用反射防止用表面板が記載されており、前記ポリオルガノシロキサン系リジッドコート膜が反親水性であることは、本件明細書において、反親水性膜として、アルキルアルコキシシラン、ポリジメチルシロキサン等の有機ケイ素化合物からなる膜が挙げられていることから明らかである。
　また、引用例２には、従来技術の問題点として、汚れが付きやすいことが挙げられており、発明の効果として、汚れも簡単に取りやすい、と記載されている。
　さらに、反射防止膜の表面に凹凸を設けること（引用例３、引用例４参照）、反射防止膜の表面に汚染防止層を設けること（引用例５、引用例６参照）はいずれも周知である。
　したがって、引用発明の表面反射防止膜に、汚れを防止すべく、引用例２に記載された技術を適用し、第３発明及び第４発明の如く構成することに、何ら困難性は認められない。
　よって、第３発明及び第４発明は、第１発明、第２発明と同様に、引用発明及び引用例２に記載の技術並びに周知技術に基づいて、当業者が容易に発明をすることができたものである。
　
Ｄ．本件の請求項５に係る発明について
　本件の請求項５に係る発明（以下、「第５発明」という。）と引用発明とを対比すると、両者は、「偏光板と同一の屈折率であって、前記偏光板の前面に前記偏光板と同一の屈折率の接着力を有する材料で密着して配置された液晶パネルを保護する透明板と、該透明板の前面に貼付された反射防止膜とを備えた」点で一致している。
　しかし、引用例１の偏光板は、液晶パネルのガラスに固着されているものであり、引用例１には、偏光板と反射防止膜を前面に貼付した透明板とを一体的に取り付けて液晶表示装置用複合板とする、ことについては記載も示唆もない。そして、この点は、引用例２〜引用例７にも何も記載されておらず、また、液晶パネルの保護板と偏光板を一体的に接着した複合板が従来周知であると認めるに足る証拠もない。
　そして、第５発明の複合板は、透明板に密着して取り付けられた偏光板が予め一体的に形成されているので、液晶表示装置に適用するのに好適であり、外光反射防止効果にも優れている、という明細書記載の格別の効果を奏するものである。
　したがって、第５発明は、引用例１〜引用例７に記載された発明に基づいて当業者が容易に発明をすることができたものではない。
　
Ｅ．本件の請求項６〜請求項８に係る発明について
　本件の請求項６に係る発明（以下、「第６発明」という。）は、第５発明に「それぞれ異なる層厚のコーティング層でマルチコーティング形成され」た構成が付加されたものであり、請求項７及び請求項８に係る発明（以下、「第７発明」、「第８発明」という。）は、第５発明又は第６発明を、さらに「反射防止膜の前面に貼付された反親水性の汚れ防止膜を備えた」と限定し、又、第８発明は、第７発明をさらに「前記汚れ防止膜の表面に凹凸部を備えた」と限定したものである。
　したがって、第６発明〜第８発明は、第５発明に対すると同様の理由で、引用例１〜引用例７に記載された発明に基づいて当業者が容易に発明をすることができたものではない。
　
７．むすび
　以上のとおり、本件の請求項１〜請求項４に係る発明の特許は、特許法第２９条第２項の規定に違反してなされたものであり、拒絶の査定をしなければならない特許出願に対してなされたものである。したがって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により取り消すべきものである。
　また、本件の請求項５〜請求項８に係る発明の特許については、取消理由を発見しない。
　よって、結論のとおり決定する。
【異議決定日】
平成１３年１０月１８日（２００１．１０．１８）
【訂正の要旨】
訂正の要旨
　ａ．特許請求の範囲の請求項１乃至１０において、請求項１，６を削除し、以下項数を繰り上げるとともに、もとの請求項２，３，７，８中の「接着剤で貼付された前記液晶パネルを保護する透明板と、」を、「接着剤で密着して取り付けられた前記液晶パネルを保護する透明板と、」に訂正する。
　すなわち、特許請求の範囲の
「【特許請求の範囲】
　【請求項１】　少なくともカラーフィルターガラス及び該カラーフィルターガラス前面に貼付された偏光板からなる液晶パネルと、該液晶パネルの前面に貼付され、該液晶パネルを保護する透明板と、該透明板の前面に貼付され、表面に凹凸部を備えた反親水性の汚れ防止膜とを備えたことを特徴とする液晶表示装置。
　【請求項２】　少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で貼付された前記液晶パネルを保護する透明板と、該透明板の前面に貼付された反射防止膜とを備えたことを特徴とする液晶表示装置。
　【請求項３】　少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で貼付された前記液晶パネルを保護する透明板と、それぞれ異なる層厚のコーティング層でマルチコーティング形成され、前記透明板の前面に貼付された反射防止膜とを備えたことを特徴とする液晶表示装置。
　【請求項４】　前記反射防止膜の前面に貼付された反親水性の汚れ防止膜を備えたことを特徴とする請求項２または３に記載の液晶表示装置。
　【請求項５】　前記汚れ防止膜の表面に凹凸部を備えたことを特徴とする請求項４に記載の液晶表示装置。
　【請求項６】　偏光板と、該偏光板の前面に貼付され、液晶パネルを保護する透明板と、該透明板の前面に貼付された反射防止膜と、該反射防止膜の前面に貼付され、表面に凹凸部を備えた反親水性の汚れ防止膜とを備えたことを特徴とする液晶表示装置用複合板。
　【請求項７】　偏光板と、該偏光板と同一の屈折率であって、該偏光板の前面に該偏光板と同一の屈折率の接着剤で貼付された液晶パネルを保護する透明板と、該透明板の前面に貼付された反射防止膜とを備えたことを特徴とする液晶表示装置用複合板。
　【請求項８】　偏光板と、該偏光板と同一の屈折率であって、該偏光板の前面に該偏光板と同一の屈折率の接着剤で貼付された液晶パネルを保護する透明板と、それぞれ異なる層厚のコーティング層でマルチコーティング形成され、前記透明板の前面に貼付された反射防止膜とを備えたことを特徴とする液晶表示装置用複合板。
　【請求項９】　前記反射防止膜の前面に貼付された反親水性の汚れ防止膜を備えたことを特徴とする請求項７または８に記載の液晶表示装置用複合板。
　【請求項１０】　前記汚れ防止膜の表面に凹凸部を備えたことを特徴とする請求項９に記載の液晶表示装置用複合板。」
の記載を、
「【特許請求の範囲】
　
【請求項１】
密着して取り付けられた
　
【請求項２】
密着して取り付けられた
　
【請求項３】
請求項１または２
　
【請求項４】
請求項３
　
【請求項５】
密着して取り付けられた
　
【請求項６】
密着して取り付けられた
　
【請求項７】
請求項５または６
　
【請求項８】
請求項７
と訂正する。
　ｂ．特許請求の範囲の請求項１乃至１０を訂正して、新たな請求項１乃至８としたことに伴い、特許請求の範囲の記載と発明の詳細な説明の記載との整合を図るため、明細書第４ページ第１行乃至第２７行（特許第３０３５１３０号公報第２ページ第４欄第５０行乃至第３ページ第６欄第２８行）の
「　【００１０】
　【課題を解決するための手段】
　本発明は、上記課題を解決するためになされたものであって、その第１の技術手段は、少なくともカラーフィルターガラス及び該カラーフィルターガラス前面に貼付された偏光板からなる液晶パネルと、該液晶パネルの前面に貼付され、該液晶パネルを保護する透明板と、該透明板の前面に貼付され、表面に凹凸部を備えた反親水性の汚れ防止膜とを備えた液晶表示装置であることを特徴とする。
　【００１１】
　第２の技術手段は、少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で貼付された前記液晶パネルを保護する透明板と、該透明板の前面に貼付された反射防止膜とを備えた液晶表示装置であることを特徴とする。
　第３の技術手段は、少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で貼付された前記液晶パネルを保護する透明板と、それぞれ異なる層厚のコーティング層でマルチコーティング形成され、前記透明板の前面に貼付された反射防止膜とを備えた液晶表示装置であることを特徴とする。
　第４の技術手段は、前記第２の技術手段または第３の技術手段の液晶表示装置において、前記反射防止膜の前面に貼付された反親水性の汚れ防止膜を備えたことを特徴とする。
　第５の技術手段は、前記第４の技術手段の液晶表示装置において、前記汚れ防止膜の表面に凹凸部を備えたことを特徴とする。
　【００１２】
　第６の技術手段は、偏光板と、該偏光板の前面に貼付され、液晶パネルを保護する透明板と、該透明板の前面に貼付された反射防止膜と、該反射防止膜の前面に貼付され、表面に凹凸部を備えた反親水性の汚れ防止膜とを備えた液晶表示装置用複合板であることを特徴とする。
　第７の技術手段は、偏光板と、該偏光板と同一の屈折率であって、該偏光板の前面に該偏光板と同一の屈折率の接着剤で貼付された液晶パネルを保護する透明板と、該透明板の前面に貼付された反射防止膜とを備えたことを特徴とする液晶表示装置用複合板。
　第８の技術手段は、偏光板と、該偏光板と同一の屈折率であって、該偏光板の前面に該偏光板と同一の屈折率の接着剤で貼付された液晶パネルを保護する透明板と、それぞれ異なる層厚のコーティング層でマルチコーティング形成され、前記透明板の前面に貼付された反射防止膜とを備えた液晶表示装置用複合板であることを特徴とする。
　第９の技術手段は、前記第７の技術手段または第８の技術手段の液晶表示装置用複合板において、前記反射防止膜の前面に貼付された反親水性の汚れ防止膜を備えたことを特徴とする。
　第１０の技術手段は、前記第９の技術手段の液晶表示装置用複合板において、前記汚れ防止膜の表面に凹凸部を備えたことを特徴とする。
　【００１３】
　【作用】
　第１、４及び５の技術手段の液晶表示装置、及び第６、９及び１０の技術手段の液晶表示装置用複合板は、反射防止処理膜にて外光反射を低減し、しかも反親水性の汚れ防止膜により、指紋や水垢等の汚れが前面透明板に付着するのを防止することができる。
　【００１４】
　第２〜５の技術手段の液晶表示装置、及び第７〜１０の技術手段の液晶表示装置用複合板は、反射防止処理膜にて外光反射を低減し、また、液晶パネルに透明板を貼着する接着剤は液晶パネルの偏光板と同一の屈折率であることにより、液晶表示部内層での外光反射を低減することができる。
　さらに、第３〜５の技術手段の液晶表示装置は、及び第８〜１０の技術手段の液晶表示装置用複合板は、反射低減用マルチコーティングにおける反射低減波長特性を可視光波長領域と同一としたため、反射光の色付きを抑制することができる。
　【００１５】
　第１、５の技術手段の液晶表示装置、及び第６、１０の技術手段の液晶表示装置用複合板は、反親水性汚れ防止膜の表面が凹凸に形成されていることにより、反射光による反射像を散乱させてぼやけた像として、明るい環境下においても視認性を一層改善することができる。
　また、第６〜１０の技術手段の液晶表示装置用複合板は、反親水性汚れ防止膜と反射低減用マルチコーティング層を上面に備えた透明板と、該透明板の下面に密着して取り付けられた偏光板からなることが予め一体的に形成されているので、液晶表示装置に適用するのに好適であり、外光反射防止効果にも優れている。」
の記載を、
「　【００１０】
　【課題を解決するための手段】
　
本発明は、上記課題を解決するためになされたものであって、その第１の技術手段は少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で密着して取り付けられた前記液晶パネルを保護する透明板と、該透明板の前面に貼付された反射防止膜とを備えた液晶表示装置であることを特徴とする。
　【００１１】
　
第２の技術手段は、少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で密着して取り付けられた前記液晶パネルを保護する透明板と、それぞれ異なる層厚のコーティング層でマルチコーティング形成され、前記透明板の前面に貼付された反射防止膜とを備えた液晶表示装置であることを特徴とする。
　第３の技術手段は、前記第１の技術手段または第２の技術手段の液晶表示装置において、前記反射防止膜の前面に貼付された反親水性の汚れ防止膜を備えたことを特徴とする。
　第４の技術手段は、前記第３の技術手段の液晶表示装置において、前記汚れ防止膜の表面に凸凹部を備えたことを特徴とする。
　【００１２】
　
第５の技術手段は、偏光板と、該偏光板と同一の屈折率であって、該偏光板の前面に該偏光板と同一の屈折率の接着剤で密着して取り付けられた液晶パネルを保護する透明板と、該透明板の前面に貼付された反射防止膜とを備えたことを特徴とする液晶表示装置用複合板であることを特徴とする。
　第６の技術手段は、偏光板と、該偏光板と同一の屈折率であって、該偏光板の前面に該偏光板と同一の屈折率の接着剤で密着して取り付けられた液晶パネルを保護する透明板と、それぞれ異なる層厚のコーティング層でマルチコーティング形成され、前記透明板の前面に貼付された反射防止膜とを備えた液晶表示装置用複合板であることを特徴とする。
　第７の技術手段は、前記第５の技術手段または第６の技術手段の液晶表示装置用複合板において、前記反射防止膜の前面に貼付された反親水性の汚れ防止膜を備えたことを特徴とする。
　第８の技術手段は、前記第７の技術手段の液晶表示装置用複合板において、前記汚れ防止膜の表面に凸凹部を備えたことを特徴とする。
　【００１３】
　【作用】
　
第１〜４の技術手段の液晶表示装置、及び第５〜８の技術手段の液晶表示装置用複合板は、反射防止処理膜にて外光反射を低減し、また、液晶パネルに透明板を貼着する接着剤は液晶パネルの偏光板と同一の屈折率であることにより、液晶表示部内層での外光反射を低減することができる。
　さらに第２〜４の技術手段の液晶表示装置、及び第６〜８の技術手段の液晶表示装置用複合板は、反射低減用マルチコーティングにおける反射低減波長特性を可視光波長領域と同一としたため、反射光の色付きを抑制することができる。
　【００１４】
　
第３及び４の技術手段の液晶表示装置、及び第７及び８の技術手段の液晶表示装置用複合板は、反射防止処理膜にて外光反射を低減し、しかも反親水性の汚れ防止膜により、指紋や水垢等の汚れが前面透明板に付着するのを防止することができる。
　【００１５】
　
第４の技術手段の液晶表示装置、及び第８の技術手段の液晶表示装置用複合板は、反親水性汚れ防止膜の表面が凹凸に形成されていることにより、反射光による反射像を散乱させてぼやけた像として、明るい環境下においても視認性を一層改善することができる。
　また、第５〜８の技術手段の液晶表示装置用複合板は、反親水性汚れ防止膜と反射低減用マルチコーティング層を上面に備えた透明板と、該透明板の下面に密着して取り付けられた偏光板からなることが予め一体的に形成されているので液晶表示装置に適用するのに好適であり、外光反射防止効果にも優れている。」
と訂正する。
　ｃ．特許請求の範囲の請求項１乃至１０を訂正して、新たな請求項１乃至８としたことに伴い、特許請求の範囲の発明の効果の記載との整合を図るため、明細書第７ページ第５行乃至第１６行（特許第３０３５１３０号公報第４ページ第８欄第６行乃至第３２行）の
「　【００２４】
　【発明の効果】
　請求項１、４及び５に係る発明の液晶表示装置、及び請求項６、９及び１０に係る発明の液晶表示装置用複合板は、反射防止処理膜にて外光反射を低減し、しかも反親水性の汚れ防止膜により、指紋や水垢等の汚れが前面透明板に付着するのを防止することができる。
　請求項２〜５に係る発明の液晶表示装置、及び請求項７〜１０に係る発明の液晶表示装置用複合板は、反射防止処理膜にて外光反射を低減し、また、液晶パネルに透明板を貼着する接着剤は液晶パネルの偏光板と同一の屈折率であることにより、液晶表示部内層での外光反射を低減することができる。
　さらに、請求項３〜５に係る発明の液晶表示装置は、及び請求項８〜１０に係る発明の液晶表示装置用複合板は、反射低減用マルチコーティングにおける反射低減波長特性を可視光波長領域と同一としたため、反射光の色付きを抑制することができる。
　　請求項１、５に係る発明の液晶表示装置、及び請求項６、１０に係る発明の液晶表示装置用複合板は、反親水性汚れ防止膜の表面が凹凸に形成されていることにより、反射光による反射像を散乱させてぼやけた像として、明るい環境下においても視認性を一層改善することができる。
　また、請求項６〜１０に係る発明の液晶表示装置用複合板は、反親水性汚れ防止膜と反射低減用マルチコーティング層を上面に備えた透明板と、該透明板の下面に密着して取り付けられた偏光板からなることが予め一体的に形成されているので、液晶表示装置に適用するのに好適であり、外光反射防止効果にも優れている。」
の記載を、
「　【００２４】
　【発明の効果】
　
請求項１〜４に係る発明の液晶表示装置、及び請求項５〜８に係る発明の液晶表示装置用複合板は、反射防止処理膜にて外光反射を低減し、また、液晶パネルに透明板を貼着する接着剤は液晶パネルの偏光板と同一の屈折率であることにより、液晶表示部内層での外光反射を低減することができる。
　さらに、請求項２〜４に係る発明の液晶表示装置は、及び請求項６〜８に係る発明の液晶表示装置用複合板は、反射低減用マルチコーティングにおける反射低減波長特性を可視光波長領域と同一としたため、反射光の色付きを抑制することができる。
　請求項３及び４に係る発明の液晶表示装置、及び請求項７及び８に係る発明の液晶表示装置用複合板は、反射防止処理膜にて外光反射を低減し、しかも反親水性の汚れ防止膜により、指紋や水垢等の汚れが前面透明板に付着するのを防止することができる。
　請求項４に係る発明の液晶表示装置、及び請求項８に係る発明の液晶表示装置用複合板は、反親水性汚れ防止膜の表面が凹凸に形成されていることにより、反射光による反射像を散乱させてぼやけた像として、明るい環境下においても視認性を一層改善することができる。
　また、請求項５〜８に係る発明の液晶表示装置複合板は、反親水性汚れ防止膜と反射低減用マルチコーティング層を上面に備えた透明板と、該透明板の下面に密着して取り付けられた偏光板からなることが予め一体的に形成されているので、液晶表示装置に適用するのに好適であり、外光反射防止効果にも優れている。
と訂正する。
（５４）【発明の名称】
液晶表示装置及び液晶表示装置用複合板
（５７）【特許請求の範囲】
　
【請求項１】
密着して取り付けられた
　
【請求項２】
密着して取り付けられた
　
【請求項３】
請求項１または２
　
【請求項４】
請求項３
　
【請求項５】
密着して取り付けられた
　
【請求項６】
密着して取り付けられた
　
【請求項７】
請求項５または６
　
【請求項８】
請求項７
【発明の詳細な説明】
　【０００１】
　【産業上の利用分野】
　本発明は、カラーフィルターガラス、偏光板等からなる液晶パネルと、該液晶パネルの前面を保護する反射低減用マルチコーティングを施して反射防止処理膜を形成した前面透明板とを備えた液晶表示装置及び液晶表示装置用複合板に関するものである。
　【０００２】
　【従来の技術】
　従来の液晶表示装置、例えば、光源としてバックライトを利用する透過型液晶表示装置は、図５に示すように、カラーフィルターガラス１、偏光板２、ブラックマトリクス３等からなり、バックライト（図示せず）から発光される白色光より画像透過光を得る液晶パネル４と、該液晶パネル４の前面（バックライトと反対側の面）に空気層５を介して配設したアクリル材等より形成された前面透明板６とを備えてなり、該前面透明板６により該液晶パネル４に直接外力が加わらない構造として該液晶パネル４を機械的に保護するとともに、ゴミや埃等の汚れに対しても保護する構造としてなるものである。
　【０００３】
　上記のように構成した液晶表示装置は、バックライト（図示せず）から発光された白色光を液晶パネル４に入射し、該液晶パネル４を透過した画像透過光により空気層５及び前面透明板６を介して画像表示してなるものである。
　【０００４】
　一方、液晶表示画面の視認性を阻害する要因のひとつに液晶表示装置の前面での外光反射があるが、一般に光の反射は屈折の異なる物質の境界面にて
　　反射率Ｒ＝〔（ｎ１−ｎ２）２／（ｎ１＋ｎ２）２〕×１００（％）
　　　　　　　　ｎ１，ｎ２：物質の屈折率
で示す反射率をもって反射光が生じる。
　【０００５】
　この外光反射について詳細に説明すると、前面透明板６の前面（外光入射面）６ａでの反射は、該前面透明板６の屈折率を１．５、透過率を９２％とすると、入射外光の約４．３％が反射光として反射し、該前面透明板６の後面６ｂでの反射光は、入射外光の約４．１％となる。また、液晶パネル４内の偏光板２の前面２ａでは、該偏光板２の屈折率を１．４９％、透過率を４１％とすると、入射外光の３．３％が反射し、該液晶パネル４内のカラーフィルターガラス１のブラックマトリクス３面に接する１ｂでは、画素開口率を４０％、ブラックマトリクス３の反射率を３０％、カラーフィルターガラス１の透過率を９５％とすると、入射外光の約１１．６％が反射する。なお、カラーフィルターガラス１の前面（偏光板２との境界面）１ａでの反射は、該カラーフィルターガラス１の屈折率と偏光板の屈折率がほぼ同一であるため、無視できるものである。
　【０００６】
　上述したように、従来の液晶表示装置全体では合計で入射外光の約２３．３％の反射光が液晶表示装置の前面に反射することとなり、液晶表示画面の視認性を阻害する要因となっており、特に外光量の多い明るい環境下においては、液晶表示装置の画面輝度に比べて反射光の輝度の方が大きくなり、表示画面のコントラストを著しく悪化させて視認性を大きく損なうという問題がある。
　【０００７】
　そこで、液晶表示装置の前面での反射光を低減し、視認性を改善するために、図６に示すように、前面透明板６の反射防止処理として、該前面透明板６の表面に薄膜の反射低減用マルチコーティング７を施すことにより、反射防止処理膜を形成したものが従来より提案されている。
　【０００８】
　この薄膜の反射低減用マルチコーティング７による反射防止の原理は、ある波長でのマルチコーティング層への入射光の位相と該マルチコーティング層裏面での反射光の位相とが逆相となって相殺することにより、前面への反射光を抑えるというものである。
　【０００９】
　【発明が解決しようとする課題】
　しかしながら、上述した図５にかかる従来の液晶表示装置では、外光反射により液晶表示画面の視認性を損なうという問題があり、また、前面透明板に薄膜の反射低減用マルチコーティングを施したものにあっては、液晶表示装置の前面での反射光を低減し、視認性を改善するための、前面透明板の前面の反射低減用マルチコーティングは有効ではあるが、図６に水滴に対する接触角特性を示すように、親水性が良いため指紋や水垢等の汚れが付着しやすく、汚れが目立つという問題があるとともに、反射低減用マルチコーティングの層厚によっては反射光の色付きが起こるという問題がある。
　【００１０】
　【課題を解決するための手段】
　
本発明は、上記課題を解決するためになされたものであって、その第１の技術手段は、少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で密着して取り付けられた前記液晶パネルを保護する透明板と、該透明板の前面に貼付された反射防止膜とを備えた液晶表示装置であることを特徴とする。
　【００１１】
　
第２の技術手段は、少なくともカラーフィルターガラス及び該カラーフィルターガラス前面に貼付された偏光板からなる液晶パネルと、前記偏光板と同一の屈折率であって、前記液晶パネルの前面に前記偏光板と同一の屈折率の接着剤で密着して取り付けられた前記液晶パネルを保護する透明板と、それぞれ異なる層厚のコーティング層でマルチコーティング形成され、前記透明板の前面に貼付された反射防止膜とを備えた液晶表示装置であることを特徴とする。
　第３の技術手段は、前記第１の技術手段または第２の技術手段の液晶表示装置において、前記反射防止膜の前面に貼付された反親水性の汚れ防止膜を備えたことを特徴とする。
　第４の技術手段は、前記第３の技術手段の液晶表示装置において、前記汚れ防止膜の表面に凹凸部を備えたことを特徴とする。
　【００１２】
　
第５の技術手段は、偏光板と、該偏光板と同一の屈折率であって、該偏光板の前面に該偏光板と同一の屈折率の接着剤で密着して取り付けられた液晶パネルを保護する透明板と、該透明板の前面に貼付された反射防止膜とを備えたことを特徴とする液量表示装置用複合板であることを特徴とする。
　第６の技術手段は、偏光板と、該偏光板と同一の屈折率であって、該偏光板の前面に該偏光板と同一の屈折率の接着剤で密着して取り付けられた液晶パネルを保護する透明板と、それぞれ異なる層厚のコーティング層でマルチコーティング形成され、前記透明板の前面に貼付された反射防止膜とを備えた液晶表示装置用複合板であることを特徴とする。
　第７の技術手段は、前記第５の技術手段または第６の技術手段の液晶表示装置用複合板において、前記反射防止膜の前面に貼付された反親水性の汚れ防止膜を備えたことを特徴とする。
　第８の技術手段は、前記第７の技術手段の液晶表示装置用複合板において、前記汚れ防止膜の表面に凹凸部を備えたことを特徴とする。
　【００１３】
　【作用】
　
第１〜４の技術手段の液晶表示装置及び第５〜８の技術手段の液晶表示装置用複合板は、反射防止処理膜にて外光反射を低減し、また、液晶パネルに透明板を貼着する接着剤は液晶パネルの偏光板と同一の屈折率であることにより、液晶表示部内層での外光反射を低減することができる。
　さらに、第２〜４の技術手段の液晶表示装置、及び第６〜８の技術手段の液晶表示装置用複合板は、反射低減用マルチコーティングにおける反射低減波長特性を可視光波長領域と同一としたため、反射光の色付きを抑制することができる。
　【００１４】
　
第３及び４の技術手段の液晶表示装置、及び第７及び８の技術手段の液晶表示装置用複合板は、反射防止処理膜にて外光反射を低減し、しかも反親水性の汚れ防止膜により、指紋や水垢等の汚れが前面透明板に付着するのを防止することができる。
　【００１５】
　第４の技術手段の液晶表示装置、及び第８の技術手段の液晶表示装置用複合板は、反親水性汚れ防止膜の表面が凹凸に形成されていることにより、反射光による反射を散乱させてぼやけた像として、明るい環境下においても視認性を一層改善することができる。
　また、第５〜８の技術手段の液晶表示装置用複合板は、反親水性汚れ防止膜と反射低減用マルチコーティング層を上面に備えた透明板と、該透明板の下面に密着して取り付けられた偏光板からなることが予め一体的に形成されているので、液晶表示装置に適用するのに好適であり、外光反射防止効果にも優れている。
　【００１６】
　【実施例】
　以下、本発明の液晶表示装置の一実施例を、例えば、光源としてバックライトを利用する透過型液晶表示装置について、図１乃至図４とともに説明するが、上記従来例と同一部分には同一符号を使用して説明する。
　【００１７】
　本発明の液晶表示装置は、図１に示すようにカラーフィルターガラス１、偏光板２、ブラックマトリクス３等からなり、バックライト（図示せず）から発光される白色光より画像透過光を得る液晶パネル４と、より一層の反射低減効果を得るために該液晶パネル４の前面（バックライトと反対側の面）に密着して配設したアクリル材等より形成された前面透明板６とを備えてなり、該前面透明板６により該液晶パネル４に直接外力が加わらない構造として該液晶パネル４を機械的に保護するとともに、ゴミや埃等の汚れに対しても保護する構造としてなるものである。
　【００１８】
　なお、上記構成において、液晶パネル４の偏光板２と前面透明板６とは、屈折率が該偏光板２及び前面透明板６と同一の材料からなる粘着剤１０にて密着して取り付けてなるものであり、偏光板２と前面透明板６をあらかじめ密着して取り付けた複合板を用いることができる。
　【００１９】
　また、前面透明板６の前面には、図２に図１のＡ部を拡大して示すように、数百オングストロームの膜厚にてマルチコーティングして形成した反射防止処理膜７と、汚れ防止膜である反親水性膜８とを施して備え、更に、該反親水性膜８の表面に凹凸部９を備えて反射光を散乱光とするノングレア処理を施してある。凹凸部９を備えるにあたっては、前面透明板６の表面を凹凸状としてから、反射防止処理膜７，反親水性膜８を順次施してやってもよい。反親水性膜としては、例えば、有機ケイ素化合物からなる膜が挙げられる。有機ケイ素化合物としては、アルキルアルコキシシラン、フルオロアルキルシラン、ポリジメチルシロキサン誘導体等が挙げられる。
　上記のように構成した液晶表示装置は、バックライト（図示せず）から発光された白色光を液晶パネル４に入射し、該液晶パネル４を透過した画像透過光により前面透明板６を介して画像表示してなるものである。
　【００２０】
　一方、液晶表示装置の前面での外光反射について説明すると、前面透明板６の前面（外光入射面）６ａでの反射光は、反射防止処理膜７により入射外光の約０．１％にまで低減でき、また液晶パネル４の偏光板２に粘着剤１０にて密着した該前面透明板６の後面６ｂでは、該粘着剤の屈折率が該偏光板２及び前面透明板６と同一であるため、反射は起きない。そして、液晶パネル４内のカラーフィルターガラス１のブラックマトリクス３に対する面１ｂでは、画素開口率を４０％、ブラックマトリクス３の反射率を３０％、カラーフィルターガラス１の透過率を９５％とすると、入射外光の約１１．６％が反射するので、装置全体の合計で入射外光の約１１．８％の反射光が液晶表示装置の前面に反射することとなり、上記従来例の約１／２に低減できるものである。なお、カラーフィルターガラス１の前面（偏光板２との境界面）１ａでの反射は、該カラーフィルターガラス１の屈折率と偏光板の屈折率がほぼ同一であるため、無視できるものである。
　【００２１】
　また、前面透明板６の反射防止処理膜７により入射外光の反射を防止するとともに、該前面透明板６の反親水性膜８の表面に凹凸部９を備えたため反射光による反射像を散乱させてぼやけた像として、従って、明るい環境下においても視認性を一層改善することができるものである。
　【００２２】
　そしてまた、反親水性膜８は、図３に水滴に対する接触角特性を示すように、親水性が悪く、従って指紋や水垢等の汚れが付着しにくくなるとともに、汚れが拭き取られやすくなるものである。
　【００２３】
　更に、反射防止処理膜７の各々のマルチコーティング層厚を異なる所定の可視光領域の波長に対応した層厚としてなり、例えば、図４に示すように、異なる可視光領域の波長ｒ１，ｒ２，ｒ３に反射最低点をもつ反射低減波長特性（図中、破線Ｂ，Ｃ，Ｄにて示す）の層厚にて各々マルチコーティングすることにより、反射防止処理膜７全体としての反射低減波長特性（図中、実線Ｅにて示す）を可視光波長領域でほぼ一定の反射低減効果が得られるものとして、反射光の色付きを抑制することができるものである。
　【００２４】
　【発明の効果】
　
請求項１〜４に係る発明の液晶表示装置、及び請求項５〜８に係る発明の液晶表示装置用複合板は、反射防止処理膜にて外光反射を低減し、また、液晶パネルに透明板を貼着する接着剤は液晶パネルの偏光板と同一の屈折率であることにより、液晶表示部内層での外光反射を低減することができる。
　さらに、請求項２〜４に係る発明の液晶表示装置は、及び請求項６〜８に係る発明の液晶表示装置用複合板は、反射低減用マルチコーティングにおける反射低減波長特性を可視光波長領域と同一としたため、反射光の色付きを抑制することができる。
　請求項３及び４に係る発明の液晶表示装置、及び請求項７及び８に係る発明の液晶表示装置用複合板は、反射防止処理膜にて外光反射を低減し、しかも反親水性の汚れ防止膜により、指紋や水垢等の汚れが前面透明板に付着するのを防止することができる。
　請求項４に係る発明の液晶表示装置、及び請求項８に係る発明の液晶表示装置用複合板は、反親水性汚れ防止膜の表面が凹凸に形成されていることにより、反射光による反射像を散乱させてぼやけた像として、明るい環境下においても視認性を一層改善することができる。
　また、請求項５〜８に係る発明の液晶表示装置用複合板は、反親水性汚れ防止膜と反射低減用マルチコーティング層を上面に備えた透明板と、該透明板の下面に密着して取り付けられた偏光板からなることが予め一体的に形成されているので、液晶表示装置に適用するのに好適であり、外光反射防止効果にも優れている。
【図面の簡単な説明】
　【図１】
　本発明の液晶表示装置の一実施例を示す概略説明図である。
　【図２】
　図１におけるＡ部拡大説明図である。
　【図３】
　本発明の液晶表示装置の一実施例における反親水性膜の水滴に対する接触角特性を示す模式説明図である。
　【図４】
　本発明の液晶表示装置の一実施例における反射低減用マルチコーティングにおける反射低減波長特性を示す説明図である。
　【図５】
　従来の液晶表示装置を示す概略説明図である。
　【図６】
　従来の液晶表示装置における反射防止処理の水滴に対する接触角特性を示す模式説明図である。
　【符号の説明】
　１…カラーフィルターガラス、２…偏光板、４…液晶パネル、６…前面透明板、７…反射防止処理膜、８…反親水性膜、９…凹凸部。